(57)【特許請求の範囲】
【請求項１】
ルーフの側端で前後方向に設けられた縦方向部材と、
上記ルーフの幅方向に設けられ、上記縦方向部材と連結されるリヤレールと、
上記縦方向部材と上記リヤレールとの連結部近傍で上記ルーフを支持する柱部材とを備えたワゴン車において、
上記リヤレールはリヤハッチを開閉自在に支持するヒンジ取付用の補強部材を備え、
上記連結部近傍で上記縦方向部材と上記リヤレールとに架設されて他端側が上記ヒンジ取付用の補強部材に結合されたブラケットを介して、リヤシート用のシートベルトリトラクタを固定したことを特徴とするリヤシート用シートベルト装置の取付構造。
【請求項２】
上記縦方向部材と上記リヤレールは上記ルーフの下方に所定の厚さを持って構成され、上記ブラケットは上記縦方向部材と上記リヤレールの下方で架設され、上記シートベルトリトラクタは上記ブラケットの上面で固定されることを特徴とする請求項１記載のリヤシート用シートベルト装置の取付構造。
【請求項３】
上記ワゴン車は上記ルーフのルーフパネル上に取り付けられるルーフレールを備え、上記縦方向部材は上記ルーフレール取付用の補強部材を備えた上記ルーフのサイドレールであって、
上記ブラケットの一端側は上記ルーフレール取付用の補強部材の近傍で上記サイドレールに結合されていることを特徴とする請求項１または請求項２記載のリヤシート用シートベルト装置の取付構造。
【発明の詳細な説明】
【０００１】
【発明の属する分野】
本発明は、リヤシート用シートベルト装置の取付構造、特に、ワゴン等の車両における３人掛けリヤシートの中央シート用の３点式シートベルト装置の取付構造に関する。
【０００２】
【従来の技術】
近年、車両においては、乗員の安全性をより向上するため、リヤシートにも３点式のシートベルト装置を採用する傾向にある。
【０００３】
ところで、リヤシートが３人掛けに設定されたワゴン車において、上記リヤシートの左右両側シートはＣピラーにシートベルトリトラクタを固定することによってシートベルト装置の構造を容易に３点式とすることが可能であるが、上記リヤシートの中央シートはシートベルトリトラクタの固定場所を確保することが困難であるため、一般に、２点式のシートベルト装置が採用されていた。
【０００４】
このようなワゴン車のリヤシートにおいて上記中央シートにも３点式のシートベルト装置を装備するため、例えば、特開昭６３−１３０４４８号公報に記載されているように、車室内ルーフ中央部下面に上記中央シート用のシートベルトリトラクタを設けることが考えられる。
【０００５】
【発明が解決しようとする課題】
しかし、上述のように車室内ルーフ中央部下面にシートベルトリトラクタを設けるためには、ルーフを補強する必要があり、このことは、車両の重量増加及び製造コストの上昇等を招く。
【０００６】
また、従来より、リヤシートの背もたれ及びその周辺部材を補強し、この補強されたリヤシートの背もたれ内部にシートベルトリトラクタを固定して、上記中央シート用のシートベルト装置を３点式とする技術が提案されているが、このようにリヤシートの背もたれ及びその周辺部材を補強することは、上述の技術と同様、車両の重量増加及び製造コストの上昇等を招く。
【０００７】
一方、これらに対処し、シートベルトリトラクタをラゲージルームの床面に固定してリヤシート中央のシートベルト装置を３点式とすると、シートベルト装置を使用する際のベルトの取り出しが困難となるばかりか、シートベルト装置使用中のラゲージルームの使い勝手が低下する虞がある。
【０００８】
本発明は上記事情に鑑みてなされたもので、車両の重量増加及び製造コストの増加を招くことなくシートベルトリトラクタを取り付けることができ、また、シートベルト装置の使い勝手を低下させることのないリヤシート用シートベルト装置の取付構造を提供することを目的とする。
【０００９】
【課題を解決するための手段】
上記課題を解決するため、第１の発明によるリヤシート用シートベルト装置の取付構造は、ルーフの側端で前後方向に設けられた縦方向部材と、上記ルーフの幅方向に設けられ、上記縦方向部材と連結されるリヤレールと、上記縦方向部材と上記リヤレールとの連結部近傍で上記ルーフを支持する柱部材とを備えたワゴン車において、上記リヤレールはリヤハッチを開閉自在に支持するヒンジ取付用の補強部材を備え、上記連結部近傍で上記縦方向部材と上記リヤレールとに架設されて他端側が上記ヒンジ取付用の補強部材に結合されたブラケットを介して、リヤシート用のシートベルトリトラクタを固定したことを特徴とする。
【００１０】
また、第２の発明によるリヤシート用シートベルト装置の取付構造は、上記第１の発明において、上記縦方向部材と上記リヤレールは上記ルーフの下方に所定の厚さを持って構成され、上記ブラケットは上記縦方向部材と上記リヤレールの下方で架設され、上記シートベルトリトラクタは上記ブラケットの上面で固定されることを特徴とする。
【００１１】
また、第２の発明によるリヤシート用シートベルト装置の取付構造は、上記第１または第２の発明において、上記ワゴン車は上記ルーフのルーフパネル上に取り付けられるルーフレールを備え、上記縦方向部材は上記ルーフレール取付用の補強部材を備えた上記ルーフのサイドレールであって、上記ブラケットの一端側は上記ルーフレール取付用の補強部材の近傍で上記サイドレールに結合されていることを特徴とする。
【００１６】
【発明の実施の形態】
以下、図面を参照して本発明の実施の形態を説明する。図１乃至図４は本発明の実施の一形態に係わり、図１はワゴン車のボディシェル内部の要部を斜め下方から見た斜視図、図２は上記ワゴン車のボディシェル内部の要部を下方から見た底面図、図３はワゴン車のボディシェルを斜め後方から見た斜視図、図４はリヤシートのシートベルトを示す説明図、である。
【００１７】
図３中符号１はワゴン車のボディシェルを示し、このボディシェル１はアンダボディ２と、このアンダボディ２の側方に前側から順に立設された柱部材としてのＡピラー３，Ｂピラー４，Ｃピラー５，Ｄピラー６と、これらのピラーによって支持されたルーフパネル７と、を備えて構成されている。
【００１８】
ここで、上記ボディシェル１の後方における上記ルーフパネル７の支持構造について詳しく説明すると、図１，図２に示すように、上記ルーフパネル７の側端には縦方向強度部材としてのサイドレール８が設けられ、上記ルーフパネル７の後端には横方向強度部材としてのリヤレール９が設けられている。
【００１９】
これらサイドレール８及びリヤレール９は、上記ルーフパネル７の下方に所定の厚みを持った中空の部材に形成され、上記サイドレール８の基端部と上記リヤレール９の端部とが互いに連結されている。さらに、上記サイドレール８には、上記リヤレール９との連結部近傍に、上記Ｄピラー６が連結されている。
【００２０】
上記Ｄピラー６と上記サイドレール８との連結部は内部で互いに連通され、この連結部内には、該連結部の折れ曲がりを防止するための補強材としてサイドリーンホースメント１０が設けられている。
【００２１】
このサイドリーンホースメント１０の一端は、上記サイドレール８内に沿って車体前方に延長され、この延長されたサイドリーンホースメント１０の途中には、図示しないルーフレールの脚部取付部１１を補強するための補強部材１０ａが設けられている（図２参照）。
【００２２】
すなわち、上記サイドリーンホースメント１０は、上記Ｄピラー６と上記サイドレール８の連結部の折れ曲がり防止用の補強部材として機能するとともに、ルーフレールの脚部取付部１１の補強部材として機能する。
【００２３】
また、上記リヤレール９の内部には、リヤハッチ（図示せず）を開閉自在に支持するヒンジ（図示せず）を固定するためのヒンジ固定部１２（図３参照）を補強するリヤリーンホースメント１３が設けられている。
【００２４】
図４において、符号２０は、上述のボディシェル１を備えたワゴン車に装着されるリヤシートを示し、このリヤシート２０は、右側シート２０ａ，左側シート２０ｂ，及び中央シート２０ｃからなる３人掛けのシートに構成されている。
【００２５】
上記右側シート２０ａ，左側シート２０ｂには、上記Ｃピラー５，５にそれぞれ固定されたシートベルトリトラクタ２１ａ，２２ａを有する周知の３点式構造のシートベルト装置２１，２２が設けられている。
【００２６】
一方、上記中央シート２０ｃに設けられるシートベルト装置２３は、シートベルトリトラクタ２４と、自由端が上記シートベルトリトラクタ２４から延出された第１のシートベルト２５と、上記第１のシートベルト２５の自由端に設けられたバックル２６ａと、このバックル２６ａと係合自在なタングプレート２６ｂと、自由端が上記タングプレート２６ｂに連結された第２のシートベルト２７と、この第２のシートベルト２７の途中に介装されたスルータング２８ｂと、このスルータング２８ｂと係合自在なバックル２８ａと、自由端が上記バックル２８ａに連結された第３のシートベルト２９と、を備えて構成されている。
【００２７】
ここで、上記第２のシートベルト２７及び上記第３のシートベルト２９の固定端は、上記中央シート２０ｃの下方で、互いに所定間隔隔ててアンダボディ２に固定されている。
【００２８】
また、上記シートベルトリトラクタ２４は、図１，図２に示すように、ボディシェル１の後方一側のＤピラー６とサイドレール８とリヤレール９との連結部近傍で、上記サイドレール８と上記リヤレール９とに架設されたブラケット３０を介して固定されている。
【００２９】
詳しく説明すると、上記ブラケット３０の一端側は、サイドリーンホースメント１０で補強された上記サイドレール８の下方でボルト３１ａによって締結固定されている。この際、上記ブラケット３０の一端側は、上記ボルト３１ａによって、ルーフレールの脚部取付部１１を補強する補強部材１０ａの近傍に、締結される。
【００３０】
一方、上記ブラケット３０の他端側は、上記リヤレール９の下方でボルト３１ｂによって締結固定されている。この際、上記ブラケット３０の他端側は、上記ボルト３１ｂによって、ヒンジ固定部１２を補強するリヤリーンホースメント１３とも締結される。
【００３１】
ここで、上述のように上記サイドレール８及びリヤレール９は、ルーフパネル７の下方に所定の厚みを持った最中状に構成され、上記ブラケット３０はこれらの下方で締結固定されているので、該ブラケット３０と上記ルーフパネル７との間には所定の間隙が形成される。
【００３２】
上記シートベルトリトラクタ２４は、この間隙を利用して上記ブラケット３０に取り付けられるもので、該シートベルトリトラクタ２４の基端側に設けられた取付部材２４ａが上記ブラケット３０の上面に当接され、これら取付部材２４ａとブラケット３０とがボルト３１ｃによって締結されることによって固定される。
【００３３】
なお、上記シートベルトリトラクタ２４は、上記ルーフパネル７と上記ブラケット３０との間に固定された後、図示しないルーフトリムが車内側から取り付けられることによって、被覆される。
【００３４】
このシートベルト装置２３は、第１のシートベルト２５が車体後方に固定されたシートベルトリトラクタ２４から延出され、この第１のシートベルト２５の自由端がバックル２６ａ，タングプレート２６ｂを介して第２のシートベルト２７の自由端と係合されるとともに、バックル２８ａ，スルータング２８ｂを介して第３のシートベルト２９の自由端が上記第２のシートベルト２７の中途と係合されることにより３点式構造のシートベルト装置として機能する。
【００３５】
このように構成された中央シート２０ｃ用のシートベルト装置２３は、シートベルトリトラクタ２４をＤピラー６，サイドレール８，リヤレール９等の強度部材の集合部分に固定することにより、該シートベルトリトラクタ２４取付用の新たな補強を行うことなく、充分な取付強度を得ることができる。
【００３６】
すなわち、ルーフパネル７に設けられる車体の強度部材であるサイドレール８，及びリヤレール９を上記シートベルトリトラクタ２４の取付用の補強部材として兼用することができる。
【００３７】
従って、リヤシート２０の中央シート２０ｃに３点式のシートベルト装置を装備する際の車両の重量増加及び製造コストの増加を防止することができる。
【００３８】
また、上記シートベルトリトラクタ２４を、ブラケット３０を介して固定することにより、シートベルト装置２３組立時の組立性を容易なものとすることができる。
【００３９】
また、ルーフパネル７の下方に所定の厚さを有する最中状のサイドレール８とリヤレール９とに上記ブラケット３０を架設し、上記サイドレール８と上記リヤレール９とに囲まれたデッドスペースを有効に活用してシートベルトリトラクタ２４を取り付けることにより、該シートベルトリトラクタ２４を収納するための新たなスペースを車室内に設ける必要がない。また、この際に、上記シートベルトリトラクタ２４はルーフトリムに被覆されるので車内の美観を損なうことがない。
【００４０】
また、上記ブラケット３０の一端側を、サイドリーンホースメント１０で補強された上記サイドレール８の下方でボルト３１ａによって締結固定する際に、上記ボルト３１ａによって、締結することにより上記シートベルトリトラクタ２４の取付強度をより向上することができる。
【００４１】
さらに、上記ブラケット３０の一端側を、ルーフレールの脚部取付部１１を補強する補強部材１０ａの近傍で、固定することにより、上記ブラケット３０にかかる力をルーフレールを介して分散化させることができる。
【００４２】
また、上記ブラケット３０の他端側を、ヒンジ固定部１２を補強するリヤリーンホースメント１３で補強された上記リヤレール９の下方で上記ボルト３１ｂによって、締結することにより上記シートベルトリトラクタ２４の取付強度をより向上することができる。
【００４３】
また、上記シートベルトリトラクタ２４は車両のルーフ側に設けられているので、シートベルト装置２３及びリヤシート２０後方のラゲージルーム等の使い勝手を低下させることがない。
【００４４】
【発明の効果】
以上説明したように本発明によれば、車両の重量増加及び製造コストの増加を招くことなくシートベルトリトラクタを取り付けることができ、また、シートベルト装置の使い勝手を低下させることのないリヤシート用シートベルト装置の取付構造を提供することができる。
【図面の簡単な説明】
【図１】ワゴン車のボディシェル内部の要部を斜め下方から見た斜視図
【図２】ワゴン車のボディシェル内部の要部を下方から見た底面図
【図３】ワゴン車のボディシェルを斜め後方から見た斜視図
【図４】リヤシートのシートベルトを示す説明図
【符号の説明】
６      …  Ｄピラー（柱部材）
８      …  サイドレール（縦方向部材）
９      …  リヤレール（横方向部材）
１０    …  サイドリーンホースメント（ルーフレール取付用の補強部材）
１０ａ  …  補強部材（ルーフレール取付用の補強部材）
１３    …  リヤリーンホースメント（ヒンジ取付用の補強部材）
２０    …  リヤシート
２０ｃ  …  中央シート
２３    …  シートベルト装置
２４    …  シートベルトリトラクタ
【図１】
0003716400.tif 000002
【図２】
0003716400.tif 000003
【図３】
0003716400.tif 000004
【図４】
0003716400.tif 000005